(57)【特許請求の範囲】
【請求項１】
地上より高位に平行に横架させた２本の横架アーム間に培地シートを下方に撓ませてその上面に装填した培地とともに支持させ、培地シートとの間に間隙を設けて培地シートからさらに下方に撓ませて同アーム間に液受シートを支持させた高設栽培床装置において、
２本の基本横架アーム間隙に対応した間隔で横架アームの長手方向と直交する方向に列状に配置され地上側から縦に支持された複数の縦パイプと、
横架アームの長手方向に間隔をあけて複数個が横架アームに直角状に配置され、培地シートと液受シートを間隙を設けて２層に撓ませた状態で、上面側で支持するように中央部がＵ字状に曲成された追加Ｕ字状アームであり、一部が２本の基本横架アームのうちの１つのアームの胴側部に着脱可能に嵌合するアーム嵌合部と、他部が複数の縦パイプ中の１つに差込嵌合する差込嵌合部と、を有する追加Ｕ字状アームと、
追加Ｕ字状アームの差込嵌合部側において２本の基本横架アームに平行な状態で追加Ｕ字状アームに一体的に連結された追加横架アームと、を有することを特徴とする高設栽培床装置。
【請求項２】
追加Ｕ字状アームの両端側は、
横架アームの胴側部に掛け回すように載せ掛ける半円状フック部と、
半円状フック部の先端から鉛直状に垂下する縦腕部と、が一体連結されてＭ字状を呈しており、
半円状フック部の内側が横架アームを挟み付ける状態で追加Ｕ字状アームの一端と追加横架アームが嵌合されることを特徴とする請求項１記載の高設栽培床装置。
【請求項３】
追加Ｕ字状アームは、１本のパイプ材をその両端寄り位置で半円状フック部を形成するように、一部を圧扁化して曲げ込むことにより成形されていることを特徴とする請求項１又は２のいずれかに記載の高設栽培床装置。
【請求項４】
２本の基本横架アームは、それらの横架アームの長手方向に間隔をあけて複数個が横架アームに直角状に配置され、培地シートと液受シートを間隙を設けて２層に撓ませた状態で、上面側で支持するように中央部がＵ字状に曲成された基本Ｕ字状アームに連結支持されており、
基本Ｕ字状アームは、その両端側で基本横架アームの胴側部に掛け回すように嵌合する半円状フック部と、半円状フック部の先端から鉛直状に垂下する縦腕部と、が一体連結されてＭ字状を呈した基本Ｕ字状アームからなり、
半円状フック部の内側が横架アームを挟み付ける状態で基本Ｕ字状アームと基本横架アームが嵌合されることを特徴とする請求項１ないし３のいずれかに記載の高設栽培床装置。
【発明の詳細な説明】
【技術分野】
【０００１】
本発明は、野菜、果物等の栽培床に関し、特に、培地を地上より高位に設置して野菜、果物等の育成、栽培作業性を向上させる高設栽培床装置に関する。
【背景技術】
【０００２】
近時、培地を地上より高位に設置して野菜、果物等の育成、栽培作業時の労力軽減、培地管理等を有利に行える高架式栽培床、すなわち高設栽培床が注目され単位収量を見込めるハウス栽培などにも適合して導入が進められつつある。従来、特許文献１、２において、高設栽培床についての提案がなされている。
【先行技術文献】
【特許文献】
【０００３】
【特許文献１】特開２００２−２８１８３２号公報
【特許文献２】特開平１１−２７５９５３号公報
【発明の概要】
【発明が解決しようとする課題】
【０００４】
特許文献１の高設栽培方法及び装置は、地上から高位において平行に設定された水平棒により倍土を装填した倍土シートおよびその下方に配置した貯水シートを両シート間に間隙を設けた態様で２層状に弛ませて支持し、その際の貯水シートを部分的に透明にするとともに、透明部分を開閉可能に遮光シートで覆った構造であり、これによって、作物の根の発育振りを遮光シートを開いて直接肉眼で見ることができるようにし、さらに水量確認を行えるようにしようと企図するものである。この特許文献１の装置は、遮光シートにより貯水シート中の植物の根に光が極力当たらないようにすることが可能であるが、この特許文献１の装置では、平行に支持された２本の水平棒間に一条の栽培床を形成するものであり、育成者の例えば腰近くの高さに倍土があって植え付けや育成管理などの作業を行ないやすいものの一条のみの栽培床であるから、２本の水平棒により培土の幅を一定にして設置面積を小さくし省スペース化を行っているわりには、有効な栽培面積を確保できにくいという問題があった。これに対し、特許文献２の図２において、栽培ベッドを２個あるいは多数個並べた複数連式の栽培ベッドを有する栽培装置が提案されているが、この特許文献２の装置では、結局、２本のアームによる１つの栽培ベッドを隣接配置したにすぎず、ベッド間の間隙部分のスペースが必要で実際に設置した状態では占有面積が大きくなり、また、ベッド間に空調用ダクトを配設するので、それらの機器を含めたメンテナンス作業、設置コストが高く、空調不要のベッドで安価で収量を期待できる栽培床の出現が待望されていた。
【０００５】
本発明は上記従来の課題に鑑みてなされたものであり、その一つの目的は、簡単な構造で低コストにより、複数条の栽培床を幅方向に連続して設けることができ、有効栽培面積を効率的に形成し得ると同時に設置スペースを小さくして小規模ハウスでも大きな栽培収量を期待できる高設栽培床装置を提供することにある。
【課題を解決するための手段】
【０００６】
上記課題を解決するために本発明は、地上より高位に平行に横架させた２本の横架アーム間に培地シートを下方に撓ませてその上面に装填した培地とともに支持させ、培地シートとの間に間隙を設けて培地シートからさらに下方に撓ませて同アーム間に液受シートを支持させた高設栽培床装置において、２本の基本横架アーム２ａ、２ｂ間隙に対応した間隔で横架アームの長手方向と直交する方向に列状に配置され地上側から縦に支持された複数の縦パイプ９ａ、９ｂ・・・と、横架アーム２の長手方向に間隔をあけて複数個が横架アームに直角状に配置され、培地シート３と液受シート５を間隙を設けて２層に撓ませた状態で、上面側で支持するように中央部がＵ字状に曲成された追加Ｕ字状アームであり、一部が２本の基本横架アーム２ａ、２ｂのうちの１つのアーム２ｂの胴側部に着脱可能に嵌合するアーム嵌合部３０と、他部が複数の縦パイプ中の１つに差込嵌合する差込嵌合部３２と、を有する追加Ｕ字状アーム２２と、追加Ｕ字状アーム２２の差込嵌合部３２側において２本の基本横架アーム２ａ、２ｂに平行な状態で追加Ｕ字状アームに２２一体的に連結された追加横架アーム７と、を有する高設栽培床装置１から構成される。
【０００７】
その際、追加Ｕ字状アーム２２の両端側は、横架アーム２ｂ、７の胴側部に掛け回すように載せ掛ける半円状フック部２４と、半円状フック部２４の先端から鉛直状に垂下する縦腕部２６と、が一体連結されてＭ字状を呈しており、半円状フック部２４の内側が横架アーム７を挟み付ける状態で追加Ｕ字状アーム２２の一端と追加横架アーム７が嵌合されるとよい。
【０００８】
また、追加Ｕ字状アーム２２は、１本のパイプ材をその両端寄り位置で半円状フック部を形成するように、一部を圧扁化して曲げ込むことにより成形するとよい。
【０００９】
また、２本の基本横架アームは、それらの横架アームの長手方向に間隔をあけて複数個が横架アームに直角状に配置され、培地シートと液受シートを間隙を設けて２層に撓ませた状態で、上面側で支持するように中央部がＵ字状に曲成された基本Ｕ字状アームに連結支持されており、基本Ｕ字状アームは、その両端側で基本横架アームの胴側部に掛け回すように嵌合する半円状フック部と、半円状フック部の先端から鉛直状に垂下する縦腕部と、が一体連結されてＭ字状を呈した基本Ｕ字状アームからなり、半円状フック部の内側が横架アームを挟み付ける状態で基本Ｕ字状アームと基本横架アームが嵌合されるとよい。
【発明の効果】
【００１０】
本発明の高設栽培床装置によれば、地上より高位に平行に横架させた２本の横架アーム間に培地シートを下方に撓ませてその上面に装填した培地とともに支持させ、培地シートとの間に間隙を設けて培地シートからさらに下方に撓ませて同アーム間に液受シートを支持させた高設栽培床装置において、２本の基本横架アーム間隙に対応した間隔で横架アームの長手方向と直交する方向に列状に配置され地上側から縦に支持された複数の縦パイプと、横架アームの長手方向に間隔をあけて複数個が横架アームに直角状に配置され、培地シートと液受シートを間隙を設けて２層に撓ませた状態で、上面側で支持するように中央部がＵ字状に曲成された追加Ｕ字状アームであり、一部が２本の基本横架アームのうちの１つのアームの胴側部に着脱可能に嵌合するアーム嵌合部と、他部が複数の縦パイプ中の１つに差込嵌合する差込嵌合部と、を有する追加Ｕ字状アームと、追加Ｕ字状アームの差込嵌合部側において２本の基本横架アームに平行な状態で追加Ｕ字状アームに一体的に連結された追加横架アームと、を有する構成であるから、簡単な構造で低コストにより、複数条の栽培床を幅方向に連続して設けることができ、有効栽培面積を効率的に形成し得ると同時に設置スペースを小さくして小規模ハウスでも大きな栽培収量を得ることが可能である。また、基本となる栽培床の幅両側からの栽培管理等の具体的作業を行ないやすくし、労力軽減を図れる。
【００１１】
また、追加Ｕ字状アームの両端側は、横架アームの胴側部に掛け回すように載せ掛ける半円状フック部と、半円状フック部の先端から鉛直状に垂下する縦腕部と、が一体連結されてＭ字状を呈しており、半円状フック部の内側が横架アームを挟み付ける状態で追加Ｕ字状アームの一端と追加横架アームが嵌合される構成であるから、追加する横架アーム及びその支持のＵ字状アーム等の構造が簡単で軽量であり、低コスト化、組立作業容易性、組立時間短縮を達成できる。
【００１２】
また、追加Ｕ字状アームは、１本のパイプ材をその両端寄り位置で半円状フック部を形成するように、一部を圧扁化して曲げ込むことにより成形された構成であるから、低廉なパイプ材の曲げと絞り工程のみでＵ字状アームを製造できるから、構造の容易化、製作簡単化、低コスト化、軽量化を達成し得る。
【００１３】
また、２本の基本横架アームは、それらの横架アームの長手方向に間隔をあけて複数個が横架アームに直角状に配置され、培地シートと液受シートを間隙を設けて２層に撓ませた状態で、上面側で支持するように中央部がＵ字状に曲成された基本Ｕ字状アームに連結支持されており、基本Ｕ字状アームは、その両端側で基本横架アームの胴側部に掛け回すように嵌合する半円状フック部と、半円状フック部の先端から鉛直状に垂下する縦腕部と、が一体連結されてＭ字状を呈した基本Ｕ字状アームからなり、半円状フック部の内側が横架アームを挟み付ける状態で基本Ｕ字状アームと基本横架アームが嵌合される構成とすることにより、追加Ｕ字状アームと同様の構成の基本Ｕ字状アームで基本横架アームを支持できるから、組立作業や部品管理容易、材料コスト低減等を達成し得る。
【図面の簡単な説明】
【００１４】
【図１】本発明の第１実施形態に係る高設栽培床装置の正面側から見た縦断面図である。
【図２】図１の装置の一部省略側面図である。
【図３】図１の装置の縦パイプとＵ字状アームと横架アームの組み付け状態のみを示した一部省略斜視説明図である。
【図４】図１の装置の一部省略斜視図である。
【図５】図１の装置の正面側から見たＵ字状アームと縦パイプの組み付け例を示した概念説明図である。
【図６】図３の縦パイプとＵ字状アームと横架アームの組み付け構成の斜視説明図である。
【図７】（ａ）、（ｂ）は、各シートの横架アームへの取り付け装置による取り付け構成を示す一部省略拡大斜視説明図である。
【図８】図２の一部省略平面説明図である。
【発明を実施するための形態】
【００１５】
以下、添付図面を参照しつつ本発明の高設栽培床装置の実施の形態について説明する。図１ないし図８は本発明の実施形態を示している。
【００１６】
本実施形態において、高設栽培床装置１は、地上より高位に平行に２本の横架アームを横架させ、該横架アーム間に培地シートを下方に撓ませて支持し、該培地シートの上面に培地を装填し、さらに、培地シートとの間に間隙を設けて培地シートからさらに下方に撓ませて横架アーム間に液受シートを支持させた高架式の栽培床を有する装置であり、特に本実施形態において、２本の横架アームのそれぞれに平行に追加横架アーム７を簡単な構造で追加設置するだけで有効栽培床面積を大きく確保できる装置である。
【００１７】
本実施形態では、２本の基本横架アーム２ａ、２ｂに１本の追加横架アーム７を併設して２条の栽培床８ａ、８ｂを形成している。
【００１８】
実施形態において、横架アームは、地上から例えば１メートル〜１．３メートル程度の高さにおいて２本のアームを平行に配置し、２本の平行状態のアームを支持手段により支持させている。
【００１９】
本実施形態において、高設栽培床装置１は、基本の横架アーム２ａ、２ｂを平行に支持させ、この基本の横架アームのうちの１つと縦パイプ９の１つとを利用して簡単にかつスペース効率の良好な高設栽培床装置を形成する。高設栽培床装置１は、２本の基本横架アームに平行に追加横架アーム７が設置され、それらの各横架アーム間、すなわち、基本の横架アーム２ａ、２ｂ間並びに基本の横架アームの１つと追加横架アーム７間には、培地シート３を下方に撓ませて支持し、該培地シート３の上面に培地４を装填し、さらに、培地シート３との間に間隙を設けた下方位置であり、培地シート３からさらに下方に撓ませて横架アーム間に液受シート５を支持させた高架式の栽培床を有する装置であり、特に本実施形態において、２本の基本横架アーム２ａ、２ｂのそれぞれに平行に追加横架アーム７を簡単な構造で追加設置するだけで有効栽培床面積を大きく確保できる装置である。
【００２０】
支持手段は、複数のアーム部材を組み付けて構成されている。本実施形態において、支持手段は、縦パイプ９と、Ｕ字状アーム７（２ａ、２ｂ）を含み、これらは金属パイプ部材を組み付けて構成されている。具体的には、図３において、支持手段は直線状に配置される３本の縦パイプ９（９ａ、９ｂ、９ｃ）と、これらを高さ中間位置で連結する直杆状連結アーム１０と、を含む支持枠体１２を栽培床の長手方向所定間隔で複数個立設し、これらの縦パイプ９にＵ字状アームを組み付けて構成されている。３本の縦パイプ９は、２本の基本横架アーム２ａ、２ｂ間隙に対応した間隔Ｗで横架アーム２ａ、２ｂの長手方向と直交する方向に列状に配置されており、これらのそれぞれの縦パイプ９ａ、９ｂ、９ｃは、直杆状連結アーム１０の連結位置より下位側の端部が地中に差し込まれた状態で立設されている。縦パイプは複数を直杆状連結パイプと連結して全体フレームとして支持力をもたせるようにしたフレーム枠でもよいが、好ましくは、各縦フレームが自立した構成とするのがよい。本実施形態において、複数の縦パイプは、下端を地中差込により立設させているが、地中差込に限らず、個々のアーム下端を任意構造の支持台や支持部材に取り付けて安定させる構造とすることもできる。各縦パイプ９には、培地シート３や液受シート５等のシート類の一部を止め具等で止める際の短筒状受部１１が適宜位置に適宜数で取り付けられている。
【００２１】
本実施形態において、１つの特徴的なことは、２本の基本横架アーム２ａ、２ｂの１つに係合して接続される追加Ｕ字状アーム２２と、追加Ｕ字状アームに一体連結され基本横架アーム２ａ、２ｂに平行に併設支持される追加横架アーム７と、を含むことである。
【００２２】
図１、図３、図５、図６において、２本の基本横架アーム２ａ、２ｂを支持する２本の縦パイプ９ａ、９ｂにも追加横架アーム７側の追加Ｕ字状アーム２２と同様の構成の複数の基本Ｕ字状アーム２０が横架アームの長手方向に間隔をあけて横架アーム２ａ、２ｂに直角状に配置されている。
【００２３】
Ｕ字状アーム２０，２２は、横架アーム２、７の長手方向複数位置に離隔して配置され、横架アーム間に渡して各シート３，５の中央部を下方にＵ字状に撓ませて支持する際の離隔保形支持手段であり、例えば４０メートル程度の栽培床長さについて２メートル間隔程度で間欠配置されている。実施形態において、追加横架アーム７側のＵ字状アーム２２と、基本横架アーム２ａ、２ｂ側のＵ字状アーム２０とは、同様の構造であるが、着目すべき本願発明の特徴的な構成の１つは、追加横架アーム７側のＵ字状アーム２２の構成である。
【００２４】
２本の平行に配置した基本横架アーム２ａ、２ｂ間に図１，４に示すように培地シート３及び液受けシート５をそれぞれの中央部を下方に撓ませて基本横架アーム２ａ、２ｂに支持させて配置させている。その際、培地シート３は上位に配置され、液受シート５は培地シート３と間隔をあけて層状に下位に配置されている。培地シート３の上面には植物栽培用の培地４が装填され、培地を装填した状態で培地シート３は基本横架アーム２ａ、２ｂに支持される。
【００２５】
培地シート３は、いわゆる防根シートあるいは不透根シートであって水及び空気が透過可能で、植物の毛根や土砂等の通過を遮断しうる網目を有するシートであり、例えば不織布あるいは織布が用いられ、素材としては、ポリエチレンその他劣化しにくい耐熱・耐寒性素材が好適に選択される。
【００２６】
本実施形態において、培地シート３上面に装填される培地４は、椰子油を採取した残渣物である椰子ガラを粉砕した粒状物をが用いられている。椰子ガラは、適度の油分残渣を保持しており、空気保持力及び排水性が高く水分含有度が低い。したがって、土などのように細菌や病気の発生が少なく、しかも土に比べると低密度で軽量であり、高架状態での作業を行ないやすい。また、横架アームの長手方向複数個所に例えば２メートル程度ごとに仕切りを入れてそれぞれの区画ごとに仕切って栽培することが可能であり、この場合、病気などの発生時にその区画部分の培地を交換したり除去することにより、培地全体の交換や撤去が不要となり栽培管理がしやすい。さらに、椰子ガラは炭化して椰子ガラ炭としての利用もされているが、廃棄処理量も多いので廃棄されるものをそのまま用いることができ、環境負荷軽減に資する。また、炭化等の加工が不要で、低価格で利用することができる、等の利点を有する。なお、培地としては、ロックウールやクリプトモス、パーライト混合物、その他軽量でできるだけ排水性に優れるものを選択するとよい。
【００２７】
培地４の上面には、図１，２，４，８に示すように、各栽培床の幅方向両側位置で離隔した位置に２本の灌水パイプ４０が横架アームの長手方向全長にわたって平行に載置されている。灌水パイプ４０は、栄養分を配合した水を供給する栄養水供給装置４４に連通する栄養水供給パイプ４２に接続されており、灌水パイプ４０の周囲に穿孔した多数の孔から栄養水を放出して培地に吸収させる。培地を通過した栄養水は、培地シート３を通過し下位側の液受シート５上に流下して収集される。
【００２８】
培地シート３の下位に間隔をあけて下向きに湾曲する液受シート５は、培地シート３を通過して流下する栄養水を受ける防水シートであり、液体を通過させないで収集し、横架シートの長手方向に沿って排水させる。
【００２９】
図１、図３、図５、図６において、２本の基本横架アーム２ａ、２ｂを支持する基本Ｕ字状アーム２０は、基本横架アーム２ａ、２ｂの長手方向に間隔をあけて複数個が横架アームに直角状に配置され、間隙を設けて２層に撓ませた状態の培地シート３と液受シート５を複数箇所の上面側で支持する支持手段の構成要素であり、特に、縦パイプ９と横架アーム２，７とを連結して継ぎ足し可能な支持枠構造を形成する中央部がＵ字状に曲成された略Ｕ字状アームである。
【００３０】
基本Ｕ字状アーム２０は、中央部を下に凸となるように下向きに湾曲させ、さらに湾曲中央位置でさらに凹設した凹部２１を有する構成であり、金属パイプ材で構成されている。さらに、この基本Ｕ字状アーム２０の両端側には基本Ｕ字状アーム２０と直角方向に伸びる基本横架アーム２ａ、２ｂに連結する連結部２８を有するとともに、縦パイプ９に接続して高架支持される部位を備えている。
【００３１】
実施形態において、基本Ｕ字状アーム２０の両端側には、基本横架アーム２の胴側部に掛け回すように載せ掛けて外嵌する半円状フック部２４と、半円状フック部の先端から鉛直状に垂下する縦腕部２６と、が一体連結されてＭ字状を呈して構成されている。半円状フック部２４が基本Ｕ字状アーム２０と基本横架アーム２ａ、２ｂとを直角方向に連結する連結部２８を構成する。また、縦腕部２６は、縦パイプ９に接続して栽培床を高架支持させる部位である。本実施形態において、図５，６に示すように、基本Ｕ字状アーム２０の両端側において基本横架アーム２ａ、２ｂを基本横架アームの長手と基本Ｕ字状アームのＵ字面とが直交するように連結固定させている。詳細には、基本Ｕ字状アーム２０は、１本のパイプ材をその両端寄り位置で半円状フック部２４を形成するように、一部を圧扁化して基本横架アーム２ａ、２ｂの胴側部に外嵌させ、曲げ込んで絞ることにより基本横架アーム２ａ、２ｂを連結させている。その状態で、半円状フック部２４の下端から鉛直状に垂下する両縦腕部２６を縦パイプ９ａ、９ｂの穴に差し込んで嵌合することにより、基本Ｕ字状アーム２０と一体化された基本横架アーム２ａ、２ｂが縦パイプ９により高架支持されることとなる。基本横架アーム２ａ、２ｂ及び基本Ｕ字状アーム２０は、基本横架アーム２ａ、２ｂの長手方向に複数組が連結されて数十メートル程度の栽培床が形成される。
【００３２】
前述したように、本発明において、特徴的なことは、むしろこの基本横架シートの１つを利用しながら次々に連設可能に一体的に接続される追加Ｕ字状アーム２２と追加横架アーム７とを含むことであり、追加Ｕ字状アーム２２並びに、追加横架アーム７自体の構成は基本Ｕ字状アーム２２及び基本横架アーム２ａ、２ｂと同様である。追加Ｕ字状アーム２２は、基本Ｕ字状アーム２０と異なり、その一部が２本の基本横架アームのうちの１つのアーム２ｂの胴側部に着脱可能に嵌合するアーム嵌合部３０と、他部が複数の縦パイプ中の１つに差込嵌合する差込嵌合部３２と、を有する。すなわち、図６において、追加Ｕ字状アーム２２の一端側の半円状フック部２４には横架アームが嵌合されておらず、縦腕部２６の内側にアーム２ｂの胴側部をあてがったようにして上から載せ掛けるように追加Ｕ字状アーム２２を下降させ、そのまま強く押下げることにより半円状フック部の半円部の内側に基本横架アーム２ｂの胴側部がはまり込んだ状態で嵌合する。他方、追加Ｕ字状アーム２２の他端側の半円状フック部２４には基本Ｕ字状アーム２０と同様に追加横架アーム７が半円状フック部の半円部の内側に嵌められて絞り込んで追加Ｕ字状アーム２２と、追加横架アーム７が一体連結されている。そして、追加Ｕ字状アーム２２のアーム嵌合部３０を基本横架アームの１つの２ｂの胴側部に向けて下降すると、同時に垂下した縦腕部２６の下端を縦パイプ９ｃの穴内に差込嵌合させる。このように、追加Ｕ字状アーム２２と追加横架アーム７とを用いることにより、基本横架アーム２ａ、２ｂに追加してその左サイド、右サイドいずれの側に対しても培地間の間隙がほとんどない連続的なスペース利用効率の高い栽培床を併設して構築することができる。
【００３３】
基本横架アームの一対のアームのうちの１つを用いて複数条の栽培床を形成する点では、基本横架アームの支持構成の要素である基本Ｕ字状アーム２０は必ずしも用いる必要はなく、他の支持構成のものでもよい。しかしながら、本実施形態のように、追加Ｕ字状アーム２２と基本的には同じ構成の基本Ｕ字状アーム２０を基本横架アーム２の支持に用いることにより、装置の組立作業を短時間で簡単に行なえ、さらに材料、管理コストの低減を図れる。
【００３４】
なお、図７において、実施形態における横架アーム２ａ、２ｂ、７に対する培地シート３及び液受シート５の取り付け装置５０を示しており、図において、各横架アームの上端には対向受け片５２を有する金属製等のステー部材５４が挿入口を上方に開口して長手方向に沿って固定されている。そして、この挿入口に２枚のシート３，５の端部寄り側を重ねて載置しその上から弾発挟み部材５６を対向受け片５２間に装着してシート３，５を重ねた状態で挟み込み、係止させるものである。ここに、取り付け装置５０は、対向受け片５２及びステー部材５４を含む。弾発挟み部材は、金属線条を台形の交互反転形状に曲げ形成したものを弾発ばねとして用いるものである。
【００３５】
なお、図１，４中６０は、横架アームの長手方向に離間したＵ字状アーム２０，２２の
中央部の凹部２１の凹設基部どうしをアーム長手方向に渡すように固定された支持アームであり、培地シート３を通過して流下した液体を受ける液受シート５の液受凹部を下位両側から支持して液受シートの耐久性維持を行っている。また、６２は、液受シートに流下した液体が導かれたアーム長手方向に設けた排水パイプである。
【００３６】
次に、図に基づいて実施形態に係る高設栽培床装置１の作用について説明する。高設栽培床装置１の組立に際しては、設置面に予め複数の縦パイプ９をユニット化して立設固定させる。例えば地面へ直接立設する場合には、各縦パイプ９の下端側を地中に刺し込み固定させる。縦パイプ９はアーム長手方向に対して例えば２メートル間隔で立設配置される。このとき、２条の栽培床構築の際には、３本、３条の場合は、４本の縦パイプのように条数＋１本の縦パイプを立設させる。そして、図５のように両側に基本横架アーム２ａ、２ｂを固定させた略Ｍ字Ｕ字アームユニットを両端の縦腕部２６を縦パイプの穴内に刺し込み嵌合させる。これにより、２本の平行基本横架アーム２ａ、２ｂが配置支持される。
【００３７】
次に、追加Ｕ字状アーム２２の差込嵌合部３２側の半円状フック部２４に連結させた追加Ｕ字アームユニットを基本横架アーム２ａ、２ｂの１つを利用しながら追加架設させる。すなわち、追加Ｕ字状アーム２２の差込嵌合部３２の縦腕部２６を縦パイプ９ｃに差し入れるように位置あわせながら、アーム嵌合部３０を基本横架アーム２ｂの胴側部に載せ掛け状に装架して押下げる。そして、完全に押下げが完了すると、追加Ｕ字状アーム２２のアーム嵌合部３０が基本横架アーム２ｂの胴側部に嵌合するとともに、追加横架アーム７を連結固定した差込嵌合部３２が縦パイプに差込嵌合されて連結される。このとき、図８に示すように、追加Ｕ字状アーム２２のアーム嵌合部３０を基本横架アーム２ｂの胴側部に載せ掛けてあてがう際に、既に基本Ｕ字状アーム２０の半円状フック部２４が基本横架アーム２ｂとの直交位置に嵌合されているので、追加Ｕ字状アーム２２のアーム嵌合部３０側端部を強制的にややアーム長手方向にずらしながら基本横架アーム２ｂの胴側部に嵌合させることととなる。このとき、追加Ｕ字状アーム２２の端部側にねじり変形応力が加わるから、各アーム２ｂ、７との嵌合部で締結力が加わり、それらの間の結合力を大きくしてフレーム構造体全体の強度を大きなものとすることができる。その後、ステー部材５４及び凹設基部固定支持アーム６０をＵ字状アームの凹部２１の下部に締結あるいは溶接などにより固定させ、装置の骨格部分の組立が完了する。
【００３８】
次に、液受シート５及び培地シート３の順に２条の栽培床となる横架アーム２ａ、２ｂ間、及び横架アーム２ｂ、７間に広げて中央部分を弛ませた状態で取り付け装置５０を介して支持させる。そして、培地シート３上に培地４を装填し、さらに灌水パイプ４０を配備する。
【００３９】
灌水パイプ４０から散布される栄養水は栽培植物Ｐの根などに適度の養分と水分を供給し、余剰水分等は培地シートを透過して液受シート５上に流下し排出される。これによって、良好な水捌け性を保持し、病気等の発生の少ない栽培床を形成することができる。特に、隣接する個々の栽培床間の間隙を不必要に広くとらずに密に並列した状態で複数の栽培床を構築できるから、農業用ハウスや路地栽培においても、スペース効率を大幅に向上させ、同時に、幅方向の両側からの栽培管理作業等を有効に行なえて、実用性に優れた栽培床とすることが可能である。
【００４０】
本実施形態の高設栽培床装置を用いた実施例構成において、具体的にしょうが、トマトについての栽培実験を行ったところ、病気のない良好な収穫量実績を得ることが確認された。本実施形態の高設栽培床装置は、その他、ほうれんそう、チンゲン菜、きゅうり、なす、ピーマン、サンチュその他のほとんどすべての葉物野菜、メロン、イチゴ、にんにくその他の根物野菜、その他果物等オールラウンドな植物栽培において有効に利用できる。
【００４１】
以上説明した本発明の高設栽培床装置は、ハウス内のみならず、路地栽培においても有効に設置可能である。また、条数も２条に限らず幅方向の両側から作業を行なえる限り、３条以上設置することもできる。なお、縦パイプ等の支持台側にキャスタ等の転動部材を取り付けることにより、作業を行ないやすくしより多数条の連結構成を可能とし得るものである。
【産業上の利用可能性】
【００４２】
本発明の高設栽培床装置は、規模の大小にかかわらず、ハウス、路地栽培にかかわらず簡易に適用することができる。
【符号の説明】
【００４３】
１  高設栽培装置
２（２ａ、２ｂ）  基本横架アーム
３  培地シート
４  培地
５  液受シート
７  追加横架アーム
９  縦パイプ
２０  基本Ｕ字状アーム
２２  追加Ｕ字状アーム
２４  半円状フック部
２６  縦腕部
３０  アーム嵌合部
３２  差込嵌合部
４０  潅水パイプ
５０  取り付け装置
Ｐ  栽培植物
【図１】
0005827539.tif 000002
【図２】
0005827539.tif 000003
【図３】
0005827539.tif 000004
【図４】
0005827539.tif 000005
【図５】
0005827539.tif 000006
【図６】
0005827539.tif 000007
【図７】
0005827539.tif 000008
【図８】
0005827539.tif 000009